(57)【特許請求の範囲】
【請求項１】
鼻及び口を覆うマスク本体と、該マスク本体の両側部にそれぞれ圧着接合部を介して接合され、前記マスク本体の両側部から後方へ延びる一対の耳掛け部と、前記マスク本体の上縁から上方に突設され、該マスク本体の内側に折り込まれるように設けた折り込み部と、を備えたマスクであって、
前記折り込み部は、その両側端部に、前記マスク本体と前記耳掛け部との前記圧着接合部の上縁から上方に延びる圧着接合部を含むように形成してなることを特徴とするマスク。
【請求項２】
前記圧着接合部は、エンボス加工による圧着接合部、熱による圧着接合部または超音波による圧着接合部であることを特徴とする請求項１に記載のマスク。
【請求項３】
前記マスク本体は、左右対称の一対の本体シートを、隣接する各端部を重ね合わせて接合して形成し、また、前記折り込み部は、前記各本体シート及び前記各圧着接合部のそれぞれの上縁から、横方向の折り曲げ線を介して各本体シートの内側に突出するように構成したことを特徴とする請求項１または２に記載のマスク。
【請求項４】
前記折り込み部に、前記折り曲げ線と略平行に延びる複数の折り曲げ線を形成し、該複数の折り曲げ線の折り曲げ強度を異ならせたことを特徴とする請求項３に記載のマスク。
【請求項５】
前記折り込み部に、前記折り曲げ線と略平行に延びる複数の折り曲げ線を形成し、該複数の折り曲げ線の折り曲げ強度を、前記折り込み部の前記本体シート寄りに位置する折り曲げ線が最大で、前記折り込み部の上端に近づくにつれて漸次小さくなるように設定したことを特徴とする請求項３に記載のマスク。
【請求項６】
前記折り込み部に、形状記憶合金または形状記憶プラスチックからなる芯材を挿入したことを特徴とする請求項１〜５のいずれかに記載のマスク。
【発明の詳細な説明】
【技術分野】
【０００１】
本発明は、マスクを装着した際、マスクの上部が鼻から両頬に至る顔面に密着するマスクに関するものである。
【背景技術】
【０００２】
従来から、マスクを装着した際、マスクの上部と鼻から両頬に至る顔面との間に隙間ができるために、この隙間から埃や花粉等が侵入したり、吐息が漏れて眼鏡が曇る等の不都合が生じていた。そこで、マスクの上部を鼻から両頬に至る顔面に密着させるように対策されたマスクが多数提案されている。
【０００３】
例えば、特許文献１に開示されたマスクは、鼻と口及び両頬を覆う本体部に、該本体部を形成する本体シートよりも剛性の高い補強体が設けられており、この補強体は、本体部を左右に二分する縦中心線から左右両側に離れた位置で、且つ本体部の上縁に接近した位置または上縁に接する位置に部分的に設けられ、このマスクを口に装着すると、本体部の上縁が顔面の凹凸形状に倣うようになり、該上縁と顔面との間に隙間が形成され難くなっている。
【特許文献１】特開２００６−１０２１４５号公報
【発明の開示】
【発明が解決しようとする課題】
【０００４】
しかしながら、特許文献１に開示されたマスクは、その構造が複雑で、製造コストが高くなる虞がある。
【０００５】
本発明は、かかる点に鑑みてなされたものであり、簡易な構造で、マスクを装着した際、マスクの上部が鼻から両頬に至る顔面に密着するマスクを提供することを目的とする。
【課題を解決するための手段】
【０００６】
本発明は、上記課題を解決するための手段として、請求項１に記載したマスクの発明は、鼻及び口を覆うマスク本体と、該マスク本体の両側部にそれぞれ圧着接合部を介して接合され、前記マスク本体の両側部から後方へ延びる一対の耳掛け部と、前記マスク本体の上縁から上方に突設され、該マスク本体の内側に折り込まれるように設けた折り込み部と、を備えたマスクであって、前記折り込み部は、その両側端部に、前記マスク本体と前記耳掛け部との前記圧着接合部の上縁から上方に延びる圧着接合部を含むように形成してなることを特徴とするものである。
請求項２に記載したマスクの発明は、請求項１に記載した発明において、前記圧着接合部は、エンボス加工による圧着接合部、熱による圧着接合部または超音波による圧着接合部であることを特徴とするものである。
従って、請求項１及び２に記載した発明では、マスクを装着すると、マスク本体の内側に突出するように設けた折り込み部が鼻から両頬に至る顔面に密着して、マスク本体の上部と鼻から両頬に至る顔面との間の隙間を塞ぐことが可能となる。しかも、折り込み部は、その両側端部に、マスク本体と耳掛け部との圧着接合部の上縁から上方に延びる圧着接合部である硬質の部分が含まれるように形成されているので、折り込み部が折り込まれた形状を保持することができ、折り込み部と鼻から両頬に至る顔面との密着性を維持することができる。
【０００７】
請求項３に記載したマスクの発明は、請求項１または２に記載した発明において、前記マスク本体は、左右対称の一対の本体シートを、隣接する各端部を重ね合わせて接合して形成し、また、前記折り込み部は、前記各本体シート及び前記各圧着接合部のそれぞれの上縁から、横方向の折り曲げ線を介して各本体シートの内側に突出するように構成したことを特徴とするものである。
従って、請求項３に記載した発明では、折り込み部を、折り曲げ線に沿って折り込むことで容易に各本体シートの内側に突出させることが可能となる。
【０００８】
請求項４に記載したマスクの発明は、請求項３に記載した発明において、前記折り込み部に、前記折り曲げ線と略平行に延びる複数の折り曲げ線を形成し、該複数の折り曲げ線の折り曲げ強度を異ならせたことを特徴とするものである。
請求項５に記載したマスクの発明は、請求項３に記載した発明において、前記折り込み部に、前記折り曲げ線と略平行に延びる複数の折り曲げ線を形成し、該複数の折り曲げ線の折り曲げ強度を、前記折り込み部の前記本体シート寄りに位置する折り曲げ線が最大で、前記折り込み部の上端に近づくにつれて漸次小さくなるように設定したことを特徴とするものである。
従って、請求項４及び５に記載した発明では、マスク本体の上部と鼻から両頬に至る顔面との隙間の大きさに応じて、折り込み部の折り込み回数を変えることで、折り込み部のマスク本体の内側への突出量を調整することができる。
また、複数の折り曲げ線の折り曲げ強度がそれぞれ相違しており、折り込み部の本体シート寄りに位置する折り曲げ線の折り曲げ強度が最大で、折り込み部の上端に近づくにつれて折り曲げ強度が小さくなるように設定されているので、折り込み部を折り込んだ際の復元力が大きくなり、折り込み部と鼻から両頬に至る顔面との密着性がさらに高まり、しかも、折り込み部を折り込む際の使用者の使い勝手が非常に良くなる。
【０００９】
請求項６に記載したマスクの発明では、請求項１〜５のいずれかに記載した発明において、前記折り込み部に、形状記憶合金または形状記憶プラスチックからなる芯材を挿入したことを特徴とするものである。
従って、請求項６に記載した発明では、折り込み部が折り込まれた形状を確実に保持することができるので、折り込み部と鼻から両頬に至る顔面との密着性を維持することができる。
【発明の効果】
【００１０】
本発明の請求項１及び２に記載したマスクの発明によれば、特に、折り込み部は、その両側端部にマスク本体と耳掛け部との圧着接合部の上縁から上方に延びる圧着接合部である硬質の部分が含まれるように形成されているので、折り込み部が折り込まれた形状を保持することができ、折り込み部と鼻から両頬に至る顔面との密着性を維持することができる。
これにより、マスクを装着すると、常時、埃や花粉等がマスク内に侵入するのを防ぎ、また、吐息がマスクの上部と鼻から両頬に至る顔面との間の隙間から外部に漏れて眼鏡が曇る等の不都合を解消することができる。
【００１１】
請求項３に記載したマスクの発明によれば、折り込み部を、折り曲げ線に沿って折り込むことで容易に各本体シートの内側へ突出させることができ、使用者の使い勝手が非常に良い。
【００１２】
請求項４及び５に記載したマスクの発明によれば、マスク本体の上部と鼻から両頬に至る顔面との隙間の大きさに応じて、折り込み部の折り込み回数を変え、折り込み部のマスク本体の内側への突出量を調整することができるので、ほとんどの使用者にとって、マスク本体の上部と鼻から両頬に至る顔面との隙間を塞ぐことができ、その効果を十分に発揮することができる。また、複数の折り曲げ線の折り曲げ強度がそれぞれ相違しており、その折り曲げ強度を、本体シート寄りに位置する折り曲げ線が最大で、折り込み部の上端に近づくにつれて小さく設定しているので、折り込み部を折り込んだ際の復元力が大きくなり、折り込み部と鼻から両頬に至る顔面との密着性がさらに高まり、しかも、折り込み部を折り込む際の使用者の使い勝手が非常に良くなる。
【００１３】
請求項６に記載したマスクの発明によれば、折り込み部に形状記憶合金または形状記憶プラスチックからなる芯材を挿入しているので、折り込み部が折り込まれた形状を確実に保持することができ、折り込み部と鼻から両頬に至る顔面との密着性を常時維持することができる。
【発明を実施するための最良の形態】
【００１４】
以下、本発明を実施するための最良の形態を図１〜図８に基いて詳細に説明する。
本発明の実施の形態に係るマスク１は、図１に示すように、使用者の口及び鼻を覆うマスク本体２と、該マスク本体２の両側部にそれぞれ圧着接合部８を介して接合され、マスク本体２の両側部から後方に延びる一対の耳掛け部３、３と、マスク本体２の内側に突出するように設けた折り込み部１４とからなる。
【００１５】
マスク本体２は、図１に示すように、左右対称な一対の本体シート５を重ね合わせて、側方の隣接する各端部をアーチ状にヒートシールして接合したアーチ状接合部６を設けて構成されており、一対の本体シート５を左右に開くと略椀状に窪んだ形態となる。
各本体シート５は、ポリプロピレンメルトブロー不織布からなる外側シート材と、静電フィルターからなる中間シート材と、レーヨン繊維及びポリエチレンテレフタレート（ＰＥＴ）の複合繊維からなる内側シート材とを順次積層し、複数の圧着部７で超音波により圧着された積層シートで構成されている。各圧着部７は、縦向きに延びる短い線状とされ、縦横方向に間欠的に配列されており、圧着接合部８から中央部のアーチ状接合部６に向かって斜め上方へ並列するように配置されている。
なお、各本体シート５は、非熱可塑性で、セルロール系繊維にゼオライトや活性炭などの多孔性物質を担持した複合繊維の不織布からなる外側シート材と、熱可塑性で、ポリエステル繊維の不織布からなる中間シート材と、非熱可塑性で、綿の不織布からなる内側シート材とを順次積層し、複数の圧着部７でヒートシールした積層シートで構成されるものもある。
【００１６】
各耳掛け部３は、それぞれ耳掛けシート１０で形成され、各耳掛けシート１０は、弾性伸縮性不織布で形成されている。各耳掛けシート１０は、マスク本体２の両側部、すなわち一対の本体シート５のアーチ状接合部６と反対側端部にそれぞれ圧着接合部８にて超音波により圧着されて後方に延びており、マスク本体２をアーチ状接合部６を中心に折り曲げて２つ折りにすると、各耳掛けシート１０の外形が一致する。また、各耳掛けシート１０には、耳通し穴４がそれぞれ形成されている。
弾性伸縮性不織布は、一方向に高い引張強度を有し、該一方向と交差する方向に伸延性を有する不織布の一面に、弾性伸縮性を有するゴム部材を熱接着して形成されている。
そして、各耳掛け部３の口もとから耳に向かう方向に、弾性伸縮性不織布を構成する不織布の伸延性を有する方向を一致させて、口もとから耳に向かう方向に弾性伸縮性を発現させるようにしている。
【００１７】
なお、不織布は、例えば、各レーヨン繊維を梳綿木により一方向に指向するように平行に揃えた状態として、その両面に複数のウォータジェットノズルからの高圧水流を吹き付け、各レーヨン繊維を交絡させて形成されている。このように形成されることで、不織布は、各レーヨン繊維が指向する一方向の引張強度が高く、該一方向に対して交差する方向に伸延性を有する性質となる。
また、不織布の一面へゴム部材を熱接着する形態は、スパイラル状（螺旋状）で直線的に熱接着する形態、点状に熱接着する形態、線状に熱接着する形態、間隔を開けた面状に熱接着する形態のいずれかが採用されるか、あるいは、これらの熱接着形態を適宜組み合わせて熱接着する形態が採用される。これらのゴム部材の熱接着形態により各耳掛け部３の、口もとから耳に向かう方向の弾性伸縮力を微妙に変化させることが可能となる。
そこで、本実施の形態では、一対の本体シート５と一対の耳掛けシート１０とは、圧着接合部８にて超音波により圧着接合されているが、エンボス加工による圧着接合でも良いし、ヒートシールによる圧着接合でも良い。
【００１８】
また、図２〜図４に示すように、マスク本体２には、各本体シート５及び各圧着接合部８の上縁の全域から、横方向の折り曲げ線１３を介して上方に突設され、各折り曲げ線１３を折り曲げることによりマスク本体２の内側に突出する各折り込み部１４が形成されている。これら折り曲げ線１３は、溶着線や間隔を開けた孔線であってもよい。
各折り込み部１４は、両側端部にマスク本体２と耳掛け部３との圧着接合部８の上縁から上方に延びる圧着接合部８を含む梯形状に形成されており、各折り込み部１４の間には、アーチ状接合部６の上縁に接する一部位から拡開する三角形状空間１１が形成される。そして、各折り込み部１４を折り曲げ線１３に沿って各本体シート５の内側に折り込むと、各折り込み部１４の対向する端部が接触して、各折り込み部１４が横方向に連続するようにしてマスク本体２の内側に突出するようになる。
なお、本実施の形態では、各折り込み部１４は梯形状に形成されているが、例えば、半円形状または横長の半楕円形状等、適宜形状に形成してもよい。
【００１９】
また、図示しないが、各折り込み部１４の内部に、形状記憶合金または形状記憶プラスチックからなる芯材を挿入して、折り込んだ際の折り込み形状を確実に保持し、折り込み部１４と鼻から両頬に至る顔面との密着性をさらに高めるようにしてもよい。
【００２０】
次に、他の実施形態に係る折り込み部１４を図５〜図８に基いて説明する。
図５に示すように、マスク本体２に設けた各折り込み部１４は、図３に示す折り込み部１４よりも大きく形成されており、各折り込み部１４に、該折り曲げ線１３と略平行に折り曲げ線１３ａ、１３ｂを間隔をあけて２箇所設けている。なお、これらの折り曲げ線１３、１３ａ、１３ｂ（全３箇所）は、溶着線や間隔を開けた孔線であってもよい。
また、各折り込み部１４に設けた各折り曲げ線１３ａ、１３ｂは、その折り曲げ強度がそれぞれ相違しており、各折り込み部１４の上端寄りに位置する折り曲げ線１３ａの方が、本体シート５寄りに位置する折り曲げ線１３ｂよりもその折り曲げ強度が小さくなるように設定されている。なお、各折り込み部１４に設けた各折り曲げ線１３ａ及び１３ｂの折り曲げ強度は、各折り込み部１４と各本体シート５との境目の折り曲げ線１３の折り曲げ強度よりも小さく設定されている。
そして、各折り込み部１４を、図６及び図７に示すように、３箇所の折り曲げ線１３、１３ａ、１３ｂに沿ってマスク本体２の内側に突出するように４重（本体シート５を含め）に折り込んでいる。これにより、折り込み部１４のマスク本体２の内側への突出量を、図４の状態の折り込み部１４のマスク本体２の内側への突出量よりも大きくすることができ、マスク本体２の上部と鼻から両頬に至る顔面との隙間が大きくても何等問題なく該隙間を塞ぐことができる。
【００２１】
なお、図６及び図７に示す状態では、各折り込み部１４を３箇所の折り曲げ線１３、１３ａ、１３ｂに沿って折り込んで４重に折り込んでいるが、図８に示すように、折り込み部１４を折り曲げ線１３及び１３ａだけを折り込んで３重（本体シート５を含め）にすることもできる。これは、使用者が、マスク本体２の上部と鼻から両頬に至る顔面との隙間の大きさに応じて、折り込み部１４の折り込み回数を変えて、折り込み部１４のマスク本体２の内側への突出量を調整することが可能となっている。
また、折り込み部１４の図５に示す形態では、各折り込み部１４に、折り曲げ線１３ａ、１３ｂを２箇所設けているが、２箇所以上設けても良いし、１箇所だけ設けても良い。折り曲げ線を２箇所以上設けた場合も、各折り込み部１４の本体シート５寄りに位置する折り曲げ線の折り曲げ強度が最大で、各折り込み部１４の上端に近づくにつれて漸次小さくなるように設定する。また、各折り込み部１４に、折り曲げ線を１箇所設けた場合には、この折り曲げ線の折り曲げ強度は、各折り込み部１４と各本体シート５との境目の折り曲げ線１３の折り曲げ強度よりも小さく設定した方が良い。
【００２２】
以上説明したように、本発明の実施の形態に係るマスク１によれば、該マスク１を装着すると、マスク本体２の内側に突出するように設けた各折り込み部１４が鼻から両頬に至る顔面に密着した状態になり、しかも、吐息が各折り込み部１４の内部、すなわち、各折り込み部１４とマスク本体２の内面との間に流入して、各折り込み部１４が顔面側に押されるために、各折り込み部１４と鼻から両頬に至る顔面との密着性が高まる。
これにより、マスク１を装着した際、埃や花粉等がマスク１内に侵入することはなく、また、吐息がマスク本体２の上部と鼻から両頬に至る顔面との間の隙間から外部に漏れることがないので、眼鏡が曇る等の不都合を解消することができる。
しかも、本発明の実施の形態に係るマスク１によれば、マスク本体２に設けた各折り込み部１４は、その両側端部にマスク本体２と耳掛け部５との圧着接合部８の上縁から上方に延びる圧着接合部８である硬質の部分が含まれるように形成したので、各折り込み部１４が折り込まれた形状を保持することができ、各折り込み部１４と鼻から両頬に至る顔面との密着性を維持することができる。
【００２３】
また、本発明の実施の形態に係るマスク１によれば、各折り込み部１４に複数の折り曲げ線１３ａ、１３ｂを設け、折り曲げ線１３ａ、１３ｂの折り曲げ強度を、折り込み部１４の上端寄りに位置する折り曲げ線１３ａの方が本体シート５寄りに位置する折り曲げ線１３ｂよりも小さくなるように設定されている。
これにより、使用者は、マスク本体２の上部と鼻から両頬に至る顔面との隙間に大きさに応じて、折り込み部１４を３重又は４重に折り曲げ、折り込み部１４のマスク本体２の内側への突出量を調整することができる。しかも、各折り曲げ線１３ａ、１３ｂは、その折り曲げ強度が折り込み部１４の上端に近づくにつれて小さく（マスク本体２に近づくにつれて大きく）設定されているので、各折り込み部１４を３重又は４重に折り込んだ際の復元力が大きくなり、各折り込み部１４と鼻から両頬に至る顔面との密着性がさらに高まるようになる。また、各折り込み部１４を折り込む際の使い勝手が非常に良くなる。
【００２４】
さらに、本発明の実施の形態に係るマスク１の耳掛け部３を構成する耳掛けシート１０は、一方向に高い引張強度を有し、交差する方向に伸延性を有する不織布の一面に、弾性伸縮性を有するゴム部材が熱接着された弾性伸縮性不織布で形成されているので、耳掛け部３を耳に掛けた際、耳へ作用するテンションが程良く、マスク１の装着感が良く長時間の着用でも不都合が生じることはない。
【００２５】
なお、本発明の実施の形態に係るマスク１では、各折り込み部１４を、例えば、折り曲げ線１３を９０°以上折り曲げることにより、本体シート５と重なるように折り込んでいるが、必ずしも９０°以上折り曲げる必要はなく、折り曲げ線１３を９０°より小さい角度で本体シート５の内側に折り曲げることで、各折り込み部１４を本体シート５の内側に突出させるようにしてもよい。この形態の場合では、各折り込み部１４の内面が鼻から両頬に至る顔面に密着して隙間を塞ぐようになる。
【図面の簡単な説明】
【００２６】
【図１】図１は、本発明の実施の形態に係るマスクの斜視図である。
【図２】図２は、図１のＡ−Ａ線に沿う断面図である。
【図３】図３は、本マスクで、各折り込み部を折り込む前の状態を内側から見た背面図である。
【図４】図４は、本マスクで、各折り込み部を内側に折り込んだ状態を内側から見た背面図である。
【図５】図５は、本マスクで、他の実施形態に係る折り込み部を折り込む前の状態を内側から見た背面図である。
【図６】図６は、本マスクで、他の実施形態に係る折り込み部を４重に折り込んだ状態を内側から見た背面図である。
【図７】図７は、図６のＢ−Ｂ線に沿う断面図である。
【図８】図８は、他の実施形態に係る折り込み部を３重に折り込んだ状態の断面図である。
【符号の説明】
【００２７】
１  マスク，２  マスク本体，３  耳掛け部，５  本体シート，８  圧着接合部，１０  耳掛けシート，１３、１３ａ、１３ｂ  折げ曲げ線，１４  折り込み部
【図１】
0004831430.tif 000002
【図２】
0004831430.tif 000003
【図３】
0004831430.tif 000004
【図４】
0004831430.tif 000005
【図５】
0004831430.tif 000006
【図６】
0004831430.tif 000007
【図７】
0004831430.tif 000008
【図８】
0004831430.tif 000009